(57)【要約】      （修正有）【課題】エンジン動力の分岐時に機械的動力伝達経路の比重を高めて電気負荷を減らし、発進時にモード変換回数を減らし、モード変換時にすべての回転要素の回転数変化を最少化するハイブリッド自動車の動力伝達装置の提供。【解決手段】エンジン動力の入力軸ＩＳと、入力軸と平行な出力軸ＯＳと、入力軸上に配置され第１モータ／ゼネレータと連結される第１回転要素Ｎ１、出力要素の第２回転要素Ｎ２、及び入力軸と連結される第３回転要素Ｎ３を有する第１遊星ギヤセットＰＧ１と、出力軸上に配置され第２モータ／ゼネレータＭＧ２と連結される第４回転要素Ｎ４、第２回転要素と外接ギヤＴＦ１を通じて連結されると共に出力軸と連結される第５回転要素Ｎ５、及び第１回転要素に第２クラッチＣＬ２及び外接ギヤＴＦ２を通じて連結されると共に変速機ハウジングＨにブレーキＢＫを介して連結される第６回転要素Ｎ６を有する第２遊星ギヤセットＰＧ２と、を含む。【選択図】図１
2014104969.tif 000002
【特許請求の範囲】
【請求項１】
エンジンの動力の伝達を受ける入力軸と、
前記入力軸と一定の間隔をおいて平行に配置される出力軸と、
前記入力軸上に配置されており、第１モータ／ゼネレータと連結される第１回転要素、出力要素として作動する第２回転要素、および、前記入力軸と直接連結される第３回転要素、を保有する第１遊星ギヤセットと、
前記出力軸上に配置されており、第２モータ／ゼネレータと連結される第４回転要素、前記第２回転要素と外接ギヤを通じて直接連結されると同時に出力軸と連結される第５回転要素、および、選択的に前記第１回転要素と外接ギヤを通じて連結されると同時に変速機ハウジングに選択的に連結される第６回転要素、を保有する第２遊星ギヤセットと、
前記第２遊星ギヤセットの３つの回転要素のうちの２つの回転要素を選択的に連結する直結手段と、
前記第１遊星ギヤセットの２つの回転要素と前記第２遊星ギヤセットの２つの回転要素をそれぞれ連結する前記外接ギヤを形成する複数のトランスファギヤと、
選択された回転要素を選択されたトランスファギヤに選択的に連結するか、選択された回転要素を変速機ハウジングと選択的に連結する複数の摩擦要素と、
を含んでなることを特徴とするハイブリッド自動車の動力伝達装置。
【請求項２】
前記第１遊星ギヤセットはシングルピニオン遊星ギヤセットであって、第１回転要素は第１サンギヤ、第２回転要素は第１遊星キャリア、第３回転要素は第１リングギヤに設定され、
前記第２遊星ギヤセットはシングルピニオン遊星ギヤセットであって、第４回転要素は第２サンギヤ、第５回転要素は第２遊星キャリア、第６回転要素は第２リングギヤに設定されることを特徴とする請求項１に記載のハイブリッド自動車の動力伝達装置。
【請求項３】
前記第１遊星ギヤセットはダブルピニオン遊星ギヤセットであって、第１回転要素は第１サンギヤ、第２回転要素は第１リングギヤ、第３回転要素は第１遊星キャリアに設定され、
前記第２遊星ギヤセットはシングルピニオン遊星ギヤセットであって、第４回転要素は第２サンギヤ、第５回転要素は第２遊星キャリア、第６回転要素は第２リングギヤに設定されることを特徴とする請求項１に記載のハイブリッド自動車の動力伝達装置。
【請求項４】
前記第１遊星ギヤセットはシングルピニオン遊星ギヤセットであって、第１回転要素は第１サンギヤ、第２回転要素は第１遊星キャリア、第３回転要素は第１リングギヤに設定され、
前記第２遊星ギヤセットはダブルピニオン遊星ギヤセットであって、第４回転要素は第２サンギヤ、第５回転要素は第２リングギヤ、第６回転要素は第２遊星キャリアに設定されることを特徴とする請求項１に記載のハイブリッド自動車の動力伝達装置。
【請求項５】
前記直結手段は、第４回転要素と第６回転要素の間に配置される第１クラッチからなることを特徴とする請求項１に記載のハイブリッド自動車の動力伝達装置。
【請求項６】
前記直結手段は、第４回転要素と第５回転要素の間に配置される第１クラッチからなることを特徴とする請求項１に記載のハイブリッド自動車の動力伝達装置。
【請求項７】
前記直結手段は、第５回転要素と第６回転要素の間に配置される第１クラッチからなることを特徴とする請求項１に記載のハイブリッド自動車の動力伝達装置。
【請求項８】
前記複数のトランスファギヤは、
第２回転要素と第５回転要素の間に配置される第１トランスファギヤと、
第１回転要素と第６回転要素の間に配置される第２トランスファギヤと、
を含むことを特徴とする請求項１に記載のハイブリッド自動車の動力伝達装置。
【請求項９】
前記複数の摩擦要素は、
第６回転要素と変速機ハウジングの間に配置されるブレーキと、
第１回転要素と第２トランスファギヤの間に配置される第２クラッチと、
を含むことを特徴とする請求項１に記載のハイブリッド自動車の動力伝達装置。
【請求項１０】
前記複数の摩擦要素は、
前記第６回転要素と変速機ハウジングの間に配置されるブレーキと、
前記第６回転要素と第２トランスファギヤの間に配置される第２クラッチと、
を含むことを特徴とする請求項１に記載のハイブリッド自動車の動力伝達装置。
【請求項１１】
前記直結手段は第１クラッチを含み、前記複数の摩擦要素はブレーキおよび第２クラッチを含み、
第１ＥＶモードではブレーキが作動し、
第２ＥＶモードでは第１クラッチが作動し、
第１ハイブリッド入力分岐モードではブレーキが作動し、
第２ハイブリッド入力分岐モードでは第１クラッチが作動し、
ハイブリッド複合分岐モードでは第２クラッチが作動し、
第１エンジンモードでは第２クラッチとブレーキが同時に作動し、
第２エンジンモードでは第１クラッチと第２クラッチが同時に作動することを特徴とする請求項１に記載のハイブリッド自動車の動力伝達装置。
【請求項１２】
エンジンの動力の伝達を受ける入力軸と、
前記入力軸と一定の間隔をおいて平行に配置される出力軸と、
前記入力軸上に配置されており、第１モータ／ゼネレータと連結される第１回転要素、第２回転要素、および、前記入力軸と直接連結される第３回転要素、を保有する第１遊星ギヤセットと、
前記出力軸上に配置されており、第２モータ／ゼネレータと連結される第４回転要素、前記第２回転要素と連結されると同時に出力軸と連結される第５回転要素、および、前記第１回転要素と連結されると同時に、変速機ハウジングに選択的に連結される第６回転要素、を保有する第２遊星ギヤセットと、
前記第２遊星ギヤセットの３つの回転要素のうちの２つの回転要素を選択的に連結する第１クラッチと、
前記第２回転要素と第５回転要素の間に配置される第１トランスファギヤと、
前記第１回転要素と第６回転要素の間に配置される第２トランスファギヤと、
ブレーキおよび第２クラッチを含む複数の摩擦要素と、
を含むことを特徴とするハイブリッド自動車の動力伝達装置。
【請求項１３】
前記第１遊星ギヤセットはシングルピニオン遊星ギヤセットであって、第１回転要素は第１サンギヤ、第２回転要素は第１遊星キャリア、第３回転要素は第１リングギヤに設定され、
前記第２遊星ギヤセットはシングルピニオン遊星ギヤセットであって、第４回転要素は第２サンギヤ、第５回転要素は第２遊星キャリア、第６回転要素は第２リングギヤに設定されることを特徴とする請求項１２に記載のハイブリッド自動車の動力伝達装置。
【請求項１４】
前記第１遊星ギヤセットはダブルピニオン遊星ギヤセットであって、第１回転要素は第１サンギヤ、第２回転要素は第１リングギヤ、第３回転要素は第１遊星キャリアに設定され、
前記第２遊星ギヤセットはシングルピニオン遊星ギヤセットであって、第４回転要素は第２サンギヤ、第５回転要素は第２遊星キャリア、第６回転要素は第２リングギヤに設定されることを特徴とする請求項１２に記載のハイブリッド自動車の動力伝達装置。
【請求項１５】
前記第１遊星ギヤセットはシングルピニオン遊星ギヤセットであって、第１回転要素は第１サンギヤ、第２回転要素は第１遊星キャリア、第３回転要素は第１リングギヤに設定され、
前記第２遊星ギヤセットはダブルピニオン遊星ギヤセットであって、第４回転要素は第２サンギヤ、第５回転要素は第２リングギヤ、第６回転要素は第２遊星キャリアに設定されることを特徴とする請求項１２に記載のハイブリッド自動車の動力伝達装置。
【請求項１６】
前記第１クラッチは、第４回転要素と第６回転要素の間に配置されることを特徴とする請求項１２に記載のハイブリッド自動車の動力伝達装置。
【請求項１７】
前記第１クラッチは、第４回転要素と第５回転要素の間に配置されることを特徴とする請求項１２に記載のハイブリッド自動車の動力伝達装置。
【請求項１８】
前記第１クラッチは、第５回転要素と第６回転要素の間に配置されることを特徴とする請求項１２に記載のハイブリッド自動車の動力伝達装置。
【請求項１９】
前記複数の摩擦要素は、
第６回転要素と変速機ハウジングの間に配置されるブレーキと、
第１回転要素と第２トランスファギヤの間に配置される第２クラッチと、
を含むことを特徴とする請求項１２に記載のハイブリッド自動車の動力伝達装置。
【請求項２０】
前記複数の摩擦要素は、
前記第６回転要素と変速機ハウジングの間に配置されるブレーキと、
前記第６回転要素と第２トランスファギヤの間に配置される第２クラッチと、
を含むことを特徴とする請求項１２に記載のハイブリッド自動車の動力伝達装置。
【発明の詳細な説明】
【技術分野】
【０００１】
本発明はハイブリッド自動車の動力伝達装置に係り、より詳しくは、エンジン動力の分岐時に機械的動力伝達経路の比重を高めて電気負荷を減らしエンジンの最大動力が使用できるようにし、発進時にモード変換の回数を減らし、モード変換時にすべての回転要素の回転数変化を最少化することができるようにするハイブリッド自動車の動力伝達装置に関する。
【背景技術】
【０００２】
自動車の親環境技術は未来自動車産業の生存が左右される核心技術であって、多数の先進自動車メーカーは環境および燃費規制を達成するための親環境自動車の開発に総力を傾けている。
【０００３】
これにより、各自動車メーカーは電気自動車（ＥＶ：Ｅｌｅｃｔｒｉｃ  Ｖｅｈｉｃｌｅ）、ハイブリッド電気自動車（ＨＥＶ：Ｈｙｂｒｉｄ  Ｅｌｅｃｔｒｉｃ  Ｖｅｈｉｃｌｅ）、燃料電池自動車（ＦＣＥＶ：Ｆｕｅｌ  Ｃｅｌｌ  Ｅｌｅｃｔｒｉｃ  Ｖｅｈｉｃｌｅ）などの未来型自動車技術を開発している。
【０００４】
上記のような未来型自動車は、重量および原価などの様々な技術的制約があるために、自動車メーカーでは排気ガス規制を満足させ、燃費性能の向上のための現実的な問題の代案としてハイブリッド自動車に注目しており、これを実用化するために熾烈な競争を繰り広げている。
【０００５】
ハイブリッド自動車は２つ以上のエネルギー源（Ｐｏｗｅｒ  Ｓｏｕｒｃｅ）を使用する自動車であり、ハイブリッド自動車のエネルギー源としては化石燃料を使用するガソリンエンジンまたはディゼルエンジンと、電気エネルギーによって駆動されるモータ／ゼネレータが主に使用される。
【０００６】
このようなハイブリッド自動車は、低速で相対的に低速トルク特性が良いモータ／ゼネレータを主動力源として使用し、高速では相対的に高速トルク特性が良いエンジンを主動力源として使用する。
【０００７】
これにより、ハイブリッド自動車は低速区間で化石燃料を使用するエンジンの作動が停止しモータ／ゼネレータを使用するために、燃費改善と排気ガスの低減に優れた効果がある。
【０００８】
そして前記のようなハイブリッド自動車の動力伝達装置は単一モード方式と多重モード方式に分類される。
【０００９】
前記単一モード方式は、変速制御のためのクラッチおよびブレーキのようなトルク伝達機構が必要でないという長所はあるが、高速走行時に効率が低下して燃費が低く大型自動車に適用するためには付加的なトルク増倍装置が必要であるという短所がある。
【００１０】
前記多重モード方式は、高速走行時に効率が高く、自律的にトルク増倍が可能であるように設計することができて、中大型自動車への適用が可能であるという長所がある。
【００１１】
これにより、最近は単一モード方式よりは多重モード方式を主に採択しており、それに伴う研究が活発に行われている。
【００１２】
前記多重モード方式の動力伝達装置は、複数の遊星ギヤセットと、モータおよび発電機として使用される複数のモータ／ゼネレータと、前記遊星ギヤセットの回転要素を制御することができる複数のトルク伝達機構（摩擦要素）と、前記モータ／ゼネレータの動力源として使用されるバッテリーなどを含んでなる。
【００１３】
このような多重モード方式の動力伝達装置は前記遊星ギヤセット、モータ／ゼネレータ、トルク伝達機構の連結構成によって相違した作動メカニズムを有する。
【００１４】
また、前記多重モード方式の動力伝達装置はその連結構成によって耐久性、動力伝達効率、大きさなどが変わる特性があるために、ハイブリッド自動車の動力伝達装置分野ではより堅固で、動力損失がなく、コンパクトな動力伝達装置を実現するための研究開発が続けられている。
【発明の概要】
【発明が解決しようとする課題】
【００１５】
本発明の実施形態は、エンジン動力の分岐時に機械的動力伝達経路の比重を高めて電気負荷を減らしエンジンの最大動力が使用できるようにし、発進時にモード変換回数を減らし、モード変換時にすべての回転要素の回転数変化を最少化することができるようにするハイブリッド自動車の動力伝達装置の提供を目的とする。
【課題を解決するための手段】
【００１６】
本発明の一つの態様によるハイブリッド自動車の動力伝達装置は、エンジンの動力の伝達を受ける入力軸と、前記入力軸と一定の間隔をおいて平行に配置される出力軸と、前記入力軸上に配置されており、第１モータ／ゼネレータと連結される第１回転要素、出力要素として作動する第２回転要素、および、前記入力軸と直接連結される第３回転要素、を保有する第１遊星ギヤセットと、前記出力軸上に配置されており、第２モータ／ゼネレータと連結される第４回転要素、前記第２回転要素と外接ギヤを通じて直接連結されると同時に出力軸と連結される第５回転要素、および、選択的に前記第１回転要素と外接ギヤを通じて連結されると同時に変速機ハウジングに選択的に連結される第６回転要素、を保有する第２遊星ギヤセットと、前記第２遊星ギヤセットの３つの回転要素のうちの２つの回転要素を選択的に連結する直結手段と、前記第１遊星ギヤセットの２つの回転要素と前記第２遊星ギヤセットの２つの回転要素をそれぞれ連結する前記外接ギヤを形成する複数のトランスファギヤと、選択された回転要素を選択されたトランスファギヤに選択的に連結するか、選択された回転要素を変速機ハウジングと選択的に連結する複数の摩擦要素とを含むことができる。
【００１７】
多様な実施形態で、前記第１遊星ギヤセットはシングルピニオン遊星ギヤセットであって、第１回転要素は第１サンギヤ、第２回転要素は第１遊星キャリア、第３回転要素は第１リングギヤに設定され、前記第２遊星ギヤセットはシングルピニオン遊星ギヤセットであって、第４回転要素は第２サンギヤ、第５回転要素は第２遊星キャリア、第６回転要素は第２リングギヤに設定され得る。
【００１８】
多様な実施形態で、前記第１遊星ギヤセットはダブルピニオン遊星ギヤセットであって、第１回転要素は第１サンギヤ、第２回転要素は第１リングギヤ、第３回転要素は第１遊星キャリアに設定され、前記第２遊星ギヤセットはシングルピニオン遊星ギヤセットであって、第４回転要素は第２サンギヤ、第５回転要素は第２遊星キャリア、第６回転要素は第２リングギヤに設定され得る。
【００１９】
多様な実施形態で、前記第１遊星ギヤセットはシングルピニオン遊星ギヤセットであって、第１回転要素は第１サンギヤ、第２回転要素は第１遊星キャリア、第３回転要素は第１リングギヤに設定され、前記第２遊星ギヤセットはダブルピニオン遊星ギヤセットであって、第４回転要素は第２サンギヤ、第５回転要素は第２リングギヤ、第６回転要素は第２遊星キャリアに設定され得る。
【００２０】
多様な実施形態で、前記直結手段は第４回転要素と第６回転要素の間に配置される第１クラッチからなり得る。
【００２１】
多様な実施形態で、前記直結手段は第４回転要素と第５回転要素の間に配置される第１クラッチからなり得る。
【００２２】
多様な実施形態で、前記直結手段は第５回転要素と第６回転要素の間に配置される第１クラッチからなり得る。
【００２３】
前記複数のトランスファギヤは、第２回転要素と第５回転要素の間に配置される第１トランスファギヤと、第１回転要素と第６回転要素の間に配置される第２トランスファギヤとを含むことができる。
【００２４】
多様な実施形態で、前記複数の摩擦要素は、第６回転要素と変速機ハウジングの間に配置されるブレーキと、第１回転要素と第２トランスファギヤの間に配置される第２クラッチとを含むことができる。
【００２５】
多様な実施形態で、前記複数の摩擦要素は、前記第６回転要素と変速機ハウジングの間に配置されるブレーキと、前記第６回転要素と第２トランスファギヤの間に配置される第２クラッチとを含むことができる。
【００２６】
前記直結手段は第１クラッチを含み、前記複数の摩擦要素はブレーキおよび第２クラッチを含み、第１ＥＶモードではブレーキが作動し、第２ＥＶモードでは第１クラッチが作動し、第１ハイブリッド入力分岐モードではブレーキが作動し、第２ハイブリッド入力分岐モードでは第１クラッチが作動し、ハイブリッド複合分岐モードでは第２クラッチが作動し、第１エンジンモードでは第２クラッチとブレーキが同時に作動し、第２エンジンモードでは第１クラッチと第２クラッチが同時に作動することができる。
【００２７】
本発明の他の態様によるハイブリッド自動車の動力伝達装置は、エンジンの動力の伝達を受ける入力軸と、前記入力軸と一定の間隔をおいて平行に配置される出力軸と、前記入力軸上に配置されており、第１モータ／ゼネレータと連結される第１回転要素、第２回転要素、および、前記入力軸と直接連結される第３回転要素、を保有する第１遊星ギヤセットと、前記出力軸上に配置されており、第２モータ／ゼネレータと連結される第４回転要素、前記第２回転要素と連結されると同時に出力軸と連結される第５回転要素、および、前記第１回転要素と連結されると同時に、変速機ハウジングに選択的に連結される第６回転要素、を保有する第２遊星ギヤセットと、前記第２遊星ギヤセットの３つの回転要素のうちの２つの回転要素を選択的に連結する第１クラッチと、前記第２回転要素と第５回転要素の間に配置される第１トランスファギヤと、前記第１回転要素と第６回転要素の間に配置される第２トランスファギヤと、ブレーキおよび第２クラッチを含む複数の摩擦要素とを含むことができる。
【００２８】
多様な実施形態で、前記第１遊星ギヤセットはシングルピニオン遊星ギヤセットであって、第１回転要素は第１サンギヤ、第２回転要素は第１遊星キャリア、第３回転要素は第１リングギヤに設定され、前記第２遊星ギヤセットはシングルピニオン遊星ギヤセットであって、第４回転要素は第２サンギヤ、第５回転要素は第２遊星キャリア、第６回転要素は第２リングギヤに設定され得る。
【００２９】
多様な実施形態で、前記第１遊星ギヤセットはダブルピニオン遊星ギヤセットであって、第１回転要素は第１サンギヤ、第２回転要素は第１リングギヤ、第３回転要素は第１遊星キャリアに設定され、前記第２遊星ギヤセットはシングルピニオン遊星ギヤセットであって、第４回転要素は第２サンギヤ、第５回転要素は第２遊星キャリア、第６回転要素は第２リングギヤに設定され得る。
【００３０】
多様な実施形態で、前記第１遊星ギヤセットはシングルピニオン遊星ギヤセットであって、第１回転要素は第１サンギヤ、第２回転要素は第１遊星キャリア、第３回転要素は第１リングギヤに設定され、前記第２遊星ギヤセットはダブルピニオン遊星ギヤセットであって、第４回転要素は第２サンギヤ、第５回転要素は第２リングギヤ、第６回転要素は第２遊星キャリアに設定され得る。
【００３１】
多様な実施形態で、前記第１クラッチは第４回転要素と第６回転要素の間に配置され得る。
【００３２】
多様な実施形態で、前記第１クラッチは第４回転要素と第５回転要素の間に配置され得る。
【００３３】
多様な実施形態で、前記第１クラッチは第５回転要素と第６回転要素の間に配置され得る。
【００３４】
多様な実施形態で、前記複数の摩擦要素は、第６回転要素と変速機ハウジングの間に配置されるブレーキと、第１回転要素と第２トランスファギヤの間に配置される第２クラッチとを含むことができる。
【００３５】
多様な実施形態で、前記複数の摩擦要素は、前記第６回転要素と変速機ハウジングの間に配置されるブレーキと、前記第６回転要素と第２トランスファギヤの間に配置される第２クラッチとを含むことができる。
【発明の効果】
【００３６】
本発明の実施形態によれば、２つの遊星ギヤセットと２つのトランスファギヤ、３つの摩擦要素および２つのモータ／ゼネレータの組み合わせで、２つのＥＶモードと、２つのハイブリッド入力分岐モードと、１つのハイブリッド複合分岐モード、２つのエンジンモードが実現できる。
【００３７】
また、遊星ギヤセット以外に外接ギヤである２つのトランスファギヤを適用することによって、自由なギヤ歯数の変更で車両別最適のギヤ比を設定することができ、要求性能条件に合うようにギヤ歯数の変更が可能で発進性能が向上できる。
【００３８】
そしてＷＯＴ（Ｗｉｄｅ  Ｏｐｅｎ  Ｔｈｒｏｔｔｌｅ）発進時に十分な動力性能を提供してエンジンモードへの変換を抑制し、ハイブリッド入力分岐モードと複合分岐モードの変換時、エンジンの最大動力を使用することができる。
【００３９】
また、エンジン動力の分岐時、機械的動力伝達経路の比重を高めて電気負荷を減らしエンジンの最大動力が使用できるようにし、発進時モード変換回数を減らし、モード変換時すべての回転要素の回転数変化を最少化することができる。
【００４０】
そしてエンジンモードを提供して高速走行時、モータ／ゼネレータの電気負荷なく走行可能にして燃費を向上させることができる。
【図面の簡単な説明】
【００４１】
【図１】本発明の第１実施形態による動力伝達装置の構成図である。
【図２】本発明の第１実施形態による動力伝達装置に適用される複数の摩擦要素の各作動モード別作動表である。
【図３Ａ】本発明の第１実施形態による動力伝達装置の第１ＥＶモードでのレバー解釈図である。
【図３Ｂ】本発明の第１実施形態による動力伝達装置の第２ＥＶモードでのレバー解釈図である。
【図４Ａ】本発明の第１実施形態による動力伝達装置の第１ハイブリッド入力分岐モードでのレバー解釈図である。
【図４Ｂ】本発明の第１実施形態による動力伝達装置の第２ハイブリッド入力分岐モードでのレバー解釈図である。
【図５】本発明の第１実施形態による動力伝達装置のハイブリッド複合分岐モードでのレバー解釈図である。
【図６Ａ】本発明の第１実施形態による動力伝達装置の第１エンジンモードでのレバー解釈図である。
【図６Ｂ】本発明の第１実施形態による動力伝達装置の第２エンジンモードでのレバー解釈図である。
【図７】本発明の第２実施形態による動力伝達装置の構成図である。
【図８】本発明の第３実施形態による動力伝達装置の構成図である。
【図９】本発明の第４実施形態による動力伝達装置の構成図である。
【図１０】本発明の第５実施形態による動力伝達装置の構成図である。
【図１１】本発明の第６実施形態による動力伝達装置の構成図である。
【発明を実施するための形態】
【００４２】
以下、本発明の実施形態を添付した図面により詳細に説明する。
【００４３】
但し、本発明の実施形態を明確に説明するために説明上不必要な部分は省略し、明細書全体にわたって同一または類似の構成要素については同一な図面符号を適用して説明する。
【００４４】
下記の説明で構成の名称を第１、第２などに区分したことはその構成の名称が同一でこれを区分するためであり、必ずしもその順序に限定されるのではない。
【００４５】
図１は本発明の第１実施形態によるハイブリッド自動車の動力伝達装置の構成図である。
【００４６】
図１に示す通り、本発明の第１実施形態によるハイブリッド自動車の動力伝達装置は、入力軸ＩＳ上に配置される第１遊星ギヤセットＰＧ１と、前記入力軸ＩＳと平行に配置される出力軸ＯＳ上に配置される第２遊星ギヤセットＰＧ２と、２つのトランスファギヤＴＦ１、ＴＦ２と、２つのクラッチＣＬ１、ＣＬ２および１つのブレーキＢＫからなる摩擦要素と、２つのモータ／ゼネレータＭＧ１、ＭＧ２を含んでなる。
【００４７】
これにより、前記第１、第２遊星ギヤセットＰＧ１、ＰＧ２は、入力軸ＩＳから入力されるエンジンＥＮＧの回転動力と、第１、第２モータ／ゼネレータＭＧ１、ＭＧ２の回転動力を変速して、変速された回転動力を前記出力軸ＯＳを通じて出力する。
【００４８】
前記入力軸ＩＳは入力部材としてエンジンＥＮＧの回転動力の伝達を受け、前記出力軸ＯＳは出力部材として差動装置（図示せず）を通じて駆動輪に駆動力を伝達する。
【００４９】
前記第１遊星ギヤセットＰＧ１はシングルピニオン遊星ギヤセットであって、第１サンギヤＳ１からなる第１回転要素Ｎ１と、前記第１サンギヤＳ１と外接でかみ合う第１ピニオンＰ１を支持する第１遊星キャリアＰＣ１からなる第２回転要素Ｎ２と、前記第１ピニオンＰ１と内接でかみ合う第１リングギヤＲ１からなる第３回転要素Ｎ３を含んでなる。
【００５０】
前記第２遊星ギヤセットＰＧ２はシングルピニオン遊星ギヤセットであって、第２サンギヤＳ２からなる第４回転要素Ｎ４と、前記第２サンギヤＳ２と外接でかみ合う第２ピニオンＰ２を支持する第２遊星キャリアＰＣ２からなる第５回転要素Ｎ５と、前記第２ピニオンＰ２と内接でかみ合う第２リングギヤＲ２からなる第６回転要素Ｎ６を含んでなる。
【００５１】
前記第１遊星ギヤセットＰＧ１の第３回転要素Ｎ３が入力軸ＩＳと直接連結され、前記第２遊星ギヤセットＰＧ２の第５回転要素Ｎ５が出力軸ＯＳと直接連結される。また、前記第１遊星ギヤセットＰＧ１の複数の回転要素は第１、第２トランスファギヤＴＦ１、ＴＦ２と第１、第２クラッチＣＬ１、ＣＬ２、そしてブレーキＢＫによって第２遊星ギヤセットＰＧ２の複数の回転要素および変速機ハウジングＨに連結される。
【００５２】
前記第１、第２トランスファギヤＴＦ１、ＴＦ２は、それぞれ互いに外接する第１、第２トランスファドライブギヤＴＦ１ａ、ＴＦ２ａと、第１、第２トランスファドリブンギヤＴＦ１ｂ、ＴＦ２ｂを含んでなる。
【００５３】
前記第１トランスファギヤＴＦ１は、第２回転要素Ｎ２と第５回転要素Ｎ５を外接で連結することができるように配置される。
【００５４】
前記第２トランスファギヤＴＦ２は、第１回転要素Ｎ１と第６回転要素Ｎ６を外接で連結することができるように配置される。
【００５５】
これにより、前記第１、第２トランスファギヤＴＦ１、ＴＦ２によって連結される複数の回転要素は、第１、第２トランスファギヤＴＦ１、ＴＦ２のギヤ比によって相互反対方向に回転する。
【００５６】
そして、摩擦要素である第１、２クラッチＣＬ１、ＣＬ２とブレーキＢＫは次の通り配置される。
【００５７】
前記第１クラッチＣＬ１は、第４回転要素Ｎ４と第６回転要素Ｎ６を選択的に連結することができるように配置される。
【００５８】
前記第２クラッチＣＬ２は、第１回転要素Ｎ１と第２トランスファギヤＴＦ２を選択的に連結することができるように配置される。
【００５９】
これにより、前記第１クラッチＣＬ１は第２遊星ギヤセットＰＧ２の２つの回転要素を選択的に連結して第２遊星ギヤセットＰＧ２が選択的に直結の状態になるようにする直結手段であり、第２クラッチＣＬ２は第１回転要素Ｎ１の回転動力を選択的に第６回転要素Ｎ６に伝達されるようにする。
【００６０】
また、前記ブレーキＢＫは、第６回転要素Ｎ６と変速機ハウジングＨを選択的に連結することができるように配置される。
【００６１】
前記第１、第２クラッチＣＬ１、ＣＬ２とブレーキＢＫからなる複数の摩擦要素は油圧によって摩擦結合される多板式油圧摩擦結合ユニットからなり得る。
【００６２】
前記第１モータ／ゼネレータＭＧ１と第２モータ／ゼネレータＭＧ２はそれぞれ独立的な動力源であって、モータとゼネレータ機能を有する。
【００６３】
前記第１モータ／ゼネレータＭＧ１は、前記第１遊星ギヤセットＰＧ１の第１回転要素Ｎ１と連結されて第１回転要素Ｎ１に回転動力を供給するモータとして作動するか、前記第１回転要素Ｎ１の回転力によって電気を生成する発電機役割を果たす。
【００６４】
前記第２モータ／ゼネレータＭＧ２は、前記第２遊星ギヤセットＰＧ２の第４回転要素Ｎ４と連結されて第４回転要素Ｎ４に回転動力を供給するモータとして作動するか、前記第４回転要素Ｎ４の回転力によって電気を生成する発電機役割を果たす。
【００６５】
このために前記第１モータ／ゼネレータＭＧ１と第２モータ／ゼネレータＭＧ２の複数の固定子は変速機ハウジングＨに固定され、複数の回転子は前記第１回転要素Ｎ１と第４回転要素Ｎ４にそれぞれ連結される。
【００６６】
図２は本発明の第１実施形態による遊星ギヤトレインに適用される複数の摩擦要素の各作動モード別作動表である。
【００６７】
図２に示す通り、第１ＥＶモードは、ブレーキＢＫの作動によって達成される。
【００６８】
第２ＥＶモードは、第１クラッチＣＬ１の作動によって達成される。
【００６９】
第１ハイブリッド入力分岐モードは、ブレーキＢＫの作動によって達成される。
【００７０】
第２ハイブリッド入力分岐モードは、第１クラッチＣＬ１の作動によって達成される。
【００７１】
ハイブリッド複合分岐モードは、第２クラッチＣＬ２の作動によって達成される。
【００７２】
第１エンジンモードは、第２クラッチＣＬ２とブレーキＢＫの同時作動によって達成される。
【００７３】
第２エンジンモードは、第１クラッチＣＬ１と第２クラッチＣＬ２の同時作動によって達成される。
【００７４】
前記のように本発明の第１実施形態による動力伝達装置は、２つのＥＶモードと、２つのハイブリッド入力分岐モードと、１つのハイブリッド複合分岐モード、２つのエンジンモードを実現することができる。
【００７５】
図３乃至図６は本発明の第１実施形態による動力伝達装置の複数のモードをレバー解釈法で説明するための図面である。
【００７６】
図３乃至図６に示す通り、第１遊星ギヤセットＰＧ１の３つの縦線は左側から第１、第２、第３回転要素Ｎ１、Ｎ２、Ｎ３に設定され、第２遊星ギヤセットＰＧ２の３つの縦線は左側から第６、第５、第４回転要素Ｎ６、Ｎ５、Ｎ４に設定される。中間の横線は回転速度“０”を示し、上側の複数の横線は正回転を示し、下側の複数の横線は逆回転を示す。
【００７７】
前記逆回転はエンジンの回転方向と反対方向に回転することを意味し、第１遊星ギヤセットＰＧ１と第２遊星ギヤセットＰＧ２がアイドリングギヤ（Ｉｄｌｉｎｇ  Ｇｅａｒ）なしに第１、第２トランスファギヤＴＦ１、ＴＦ２を通じて外接で連結されるためである。
【００７８】
また、前記第１、第２遊星ギヤセットＰＧ１、ＰＧ２の複数の縦線の間の間隔は、第１、第２遊星ギヤセットＰＧ１、ＰＧ２のギヤ比（サンギヤの歯数／リングギヤの歯数）によって設定される。
【００７９】
［第１ＥＶモード］
図３Ａは第１ＥＶモードに対するレバー解釈図である。
【００８０】
ＥＶモードは、エンジンが停止した状態でバッテリーの電源をモータ／ゼネレータに供給してモータ／ゼネレータの動力で車両を走行させるモードを意味する。エンジンが停止しているため燃費向上に大きい影響を与え、別途の後進装置なくても後進走行が可能であるという長所がある。
【００８１】
ＥＶモードは停止した状態で車両が出発したり車両が低速で走行する時に活用され、登り坂道での後退防止または速い加速のために動力源が出力部材より速く回転する減速変速比が要求される。
【００８２】
このような条件で、第１ＥＶモードではブレーキＢＫの作動で第６回転要素Ｎ６が固定要素として作動し、第２モータ／ゼネレータＭＧ２を作動させて第４回転要素Ｎ４に第２モータ／ゼネレータＭＧ２の動力が入力される。したがって、第２遊星ギヤセットＰＧ２のギヤ比によって第２モータ／ゼネレータＭＧ２の動力が変換されて第５回転要素Ｎ５を通じて出力される。
【００８３】
この時、第１遊星ギヤセットＰＧ１は変速には関与しないが、第３回転要素Ｎ３がエンジンと共に停止した状態を維持し、第２回転要素Ｎ２が第５回転要素Ｎ５と第１トランスファギヤＴＦ１を通じて連結されているため第１、第２回転要素Ｎ１、Ｎ２が空転する。
【００８４】
［第２ＥＶモード］
図３Ｂは第２ＥＶモードに対するレバー解釈図である。
【００８５】
モータ／ゼネレータは回転速度とトルクによってその効率が変わる特性を有する。これは同一な電流を供給しても回転速度とトルクによって電気エネルギーが機械的エネルギーに変換される比率が異なるということを意味する。
【００８６】
ＥＶモードで使用されるバッテリーの電流はエンジンで燃料の燃焼によるか回生制動によって蓄積されたエネルギーであるが、エネルギー発生方法と関係なく蓄積されたエネルギーを効率的に使用することは燃費向上に直接影響を与える。
【００８７】
このような理由で最近は電気自動車でも２つの変速段以上を実現する変速機を装着する傾向であり、ハイブリッド自動車のＥＶモードでも２つ以上の変速段を有するのが有利である。したがって、本発明の実施形態では２つのＥＶモードが実現できるようになっている。
【００８８】
このような点を考慮して第２ＥＶモードへの変速過程を見てみると次の通りである。前記第１ＥＶモードで走行中に、車速が増加して第２モータ／ゼネレータＭＧ２の効率が悪い地点でブレーキＢＫの作動を解除し、第１クラッチＣＬ１を作動させると第２ＥＶモードが実現される。
【００８９】
そうすれば、第２遊星ギヤセットＰＧ２の直結手段である第１クラッチＣＬ１が作動するので、第２遊星ギヤセットＰＧ２は直結の状態になって第２遊星ギヤセットＰＧ２のすべての回転要素Ｎ４、Ｎ５、Ｎ６が同一な速度で回転しながら第５回転要素Ｎ５を通じて出力が行われる。
【００９０】
この時、第１遊星ギヤセットＰＧ１は変速には関与しないが、第３回転要素Ｎ３がエンジンと共に停止した状態を維持し、第１、第２回転要素Ｎ１、Ｎ２が空転する。
【００９１】
［第１ハイブリッド入力分岐モード］
図４Ａは第１ハイブリッド入力分岐モードに対するレバー解釈図である。
【００９２】
ハイブリッド入力分岐モードではエンジンの動力が機械的経路と電気的経路を通じて出力部材に伝達され、このようなエンジンの動力分配は遊星ギヤセットによって行われる。前記遊星ギヤセットに連結されたエンジンとモータ／ゼネレータは車速に関係なく回転速度を任意に調節することができるため、ハイブリッド入力分岐モードでの動力伝達装置は電子式無段変速機役割を果たす。
【００９３】
既存の変速機では与えられた車速でエンジン速度とトルクが固定されるが、電子式無段変速機では与えられた車速でエンジン速度とトルクを自由に変更することができる。したがって、エンジンの運転効率を極大化させることができ、燃費向上を図ることができる。
【００９４】
このような点を考慮して第１ハイブリッド入力分岐モードへの変速過程を見てみると次の通りである。前記ＥＶモードでは第２回転要素Ｎ２が第１トランスファギヤＴＦ１を通じて第５回転要素Ｎ５に連結されているが、第１、第２回転要素Ｎ１、Ｎ２は空転する。
【００９５】
前記状態で第１モータゼネレータＭＧ１を用いてエンジンＥＮＧを作動させれば、車速に関係なくエンジンＥＮＧと第１モータ／ゼネレータＭＧ１の速度を制御することができる。
【００９６】
これにより、エンジンＥＮＧと第１モータ／ゼネレータＭＧ１を制御すれば、エンジンのトルクと第１モータ／ゼネレータＭＧ１のトルクが合わせられて第１トランスファギヤＴＦ１を通じて出力要素である第５回転要素Ｎ５に伝達される。したがって、高い駆動力を発生させることができる。
【００９７】
この時、第２遊星ギヤセットＰＧ２ではブレーキＢＫが作動しながら第６回転要素Ｎ６が固定要素として作動して第５回転要素Ｎ５を通じて出力が行われ、第４回転要素Ｎ４は空転する。
【００９８】
このように第１ハイブリッド入力分岐モードではエンジンＥＮＧと第１モータ／ゼネレータＭＧ１を独立的に制御することができるので、燃費と動力性能が非常に優れている。
【００９９】
［第２ハイブリッド入力分岐モード］
図４Ｂは第２ハイブリッド入力分岐モードに対するレバー解釈図である。
【０１００】
車両が前記第１ハイブリッド入力分岐モードで走行中に車速が増加すれば、第１遊星ギヤセットＰＧ１の複数の回転要素の回転速度を全体的に低下させるためにブレーキＢＫの作動を解除し、第１クラッチＣＬ１を作動させる。これにより、第２ハイブリッド入力分岐モードが始まる。
【０１０１】
第２遊星ギヤセットＰＧ２の直結手段である第１クラッチＣＬ１が作動するので、第２遊星ギヤセットＰＧ２は直結の状態になり、第２遊星ギヤセットＰＧ２のすべての回転要素Ｎ４、Ｎ５、Ｎ６が同一な速度で回転しながら駆動力が第５回転部材Ｎ５を通じて出力される。
【０１０２】
第２ハイブリッド入力分岐モードでは第１ハイブリッド入力分岐モードと同様にエンジンＥＮＧと第１モータ／ゼネレータＭＧ１を独立的に制御することができるため燃費と動力性能が非常に優れている。
【０１０３】
［ハイブリッド複合分岐モード］
図５はハイブリッド複合分岐モードに対するレバー解釈図である。
【０１０４】
前記ハイブリッド入力分岐モードでは出力部材に連結されたモータ／ゼネレータの回転速度が車速に拘束されていて、モータ／ゼネレータの効率的な運用が難しいだけでなくモータ／ゼネレータの容量を減らすのも難しい。
【０１０５】
特に、車速が高くて車速に拘束されたモータ／ゼネレータの回転速度が高い時にはモータ／ゼネレータの効率が悪化するため、最適の燃費が実現できない。
【０１０６】
このような条件でエンジンＥＮＧに連結された第１遊星ギヤセットＰＧ１の２つの回転要素と出力軸に連結された第２遊星ギヤセットＰＧ２の２つの回転要素を互いに結合させてエンジンＥＮＧの回転速度と２つのモータ／ゼネレータＭＧ１、ＭＧ２の回転速度を車速と関係なく制御することができるようにすれば、前記動力伝達装置は無段変速機の役割を果たし燃費向上を図ることができる。
【０１０７】
第２クラッチＣＬ２を作動させると、第２トランスファギヤＴＦ２を通じて第２モータ／ゼネレータＭＧ２の速度とトルクがエンジンＥＮＧの速度とトルクによって拘束される。
【０１０８】
また、第１トランスファギヤＴＦ１を通じて第２回転要素Ｎ２と第５回転要素Ｎ５が連結されるので、第２回転要素Ｎ２および第５回転要素Ｎ５の速度とトルクが互いに拘束を受ける。
【０１０９】
そして第１、第２モータ／ゼネレータＭＧ１、ＭＧ２の電気エネルギーが平衡をなさなければならないので、ハイブリッド複合分岐モードでは第１、第２遊星ギヤセットＰＧ１、ＰＧ２のすべての回転要素の速度とトルクが互いに連関を有しながら前記動力伝達装置は電子式無段変速機役割を果たす。
【０１１０】
前記ハイブリッド複合分岐モードは第１ハイブリッド入力分岐モードと第２ハイブリッド入力分岐モードから変換が可能である。即ち、前記第１ハイブリッド入力分岐モードと第２ハイブリッド入力分岐モードからハイブリッド複合分岐モードに変換しようとする時には、エンジンＥＮＧと第１モータ／ゼネレータＭＧ１を制御して第１遊星ギヤセットＰＧ１の複数の回転要素と第２遊星ギヤセットＰＧ２の複数の回転要素が同期されるようにした後、第２クラッチＣＬ２を作動させる。
【０１１１】
そして第１ハイブリッド入力分岐モードからハイブリッド複合分岐モードに変換する時には第２クラッチＣＬ２を作動させブレーキＢＫを解除し、第２ハイブリッド入力分岐モードからハイブリッド複合分岐モードに変換する時には第２クラッチＣＬ２を作動させ第１クラッチＣＬ１を解除すれば良い。
【０１１２】
ハイブリッド複合分岐モードでは第６回転要素Ｎ６がトルクを受けることができないために、第４回転要素Ｎ４に入力されるトルクの合計と第５回転要素Ｎ５に入力されるトルクの合計がそれぞれ“０”にならなければならない。
【０１１３】
即ち、前記第４回転要素Ｎ４は第２モータ／ゼネレータＭＧ２のトルクと第２トランスファギヤＴＦ２から入力される外部トルクが平衡をなす。
【０１１４】
また、前記第５回転要素Ｎ５は走行抵抗によって入力されるトルクと第１トランスファギヤＴＦ１から入力される外部トルクが平衡をなす。
【０１１５】
［第１エンジンモード］
図６Ａは第１エンジンモードに対するレバー解釈図である。
【０１１６】
ハイブリッド自動車の燃費向上のための核心技術は、制動エネルギーの回収および再使用とエンジン運転点の自由な制御と言える。
【０１１７】
そしてエンジン運転点の制御にはエンジンの機械的エネルギーがモータ／ゼネレータで電気的エネルギーに変換される過程と、モータ／ゼネレータの電気的エネルギーがモータ／ゼネレータで再び機械的エネルギーに変換される二回のエネルギー変換過程を伴う。
【０１１８】
このようなエネルギー変換過程で入力された全てのエネルギーが出力されず中間に損失が発生する。
【０１１９】
したがって、ある運転条件ではハイブリッドモードよりむしろエンジンのみで駆動されるエンジンモードの燃費が優れていることがあるので、本発明の実施形態では２つのエンジンモードを提供する。
【０１２０】
即ち、第１エンジンモードでは、第２クラッチＣＬ２とブレーキＢＫを締結すると、エンジンＥＮＧの速度が第２トランスファギヤＴＦ２を通じて第２遊星ギヤセットＰＧ２に伝達されて、第４回転要素Ｎ４がエンジンＥＮＧと反対方向に回転し、第６回転要素Ｎ６が停止するために減速変速比が形成される。
【０１２１】
この時、第１、第２モータ／ゼネレータＭＧ１、ＭＧ２はトルクを提供する必要がないため、エンジンＥＮＧの動力のみで車両が駆動される第１エンジンモードが実現される。
【０１２２】
［第２エンジンモード］
前記第１エンジンモードで走行中に車速が増加すれば、第１クラッチＣＬ１と第２クラッチＣ２を作動させて第２エンジンモードに進入する。
【０１２３】
そうすれば、第１クラッチＣＬ１の作動によって第２遊星ギヤセットＰＧ２のすべての回転要素Ｎ４、Ｎ５、Ｎ６は同一な速度で回転する。
【０１２４】
そして第２トランスファギヤＴＦ２のギヤ比によって第１回転要素Ｎ１が第３回転要素Ｎ３より高速で回転しながら第２回転要素Ｎ２の回転動力が第１トランスファギヤＴＦ１によって第５回転要素Ｎ５に伝達されて出力される。
【０１２５】
これにより、エンジンＥＮＧより第５回転要素Ｎ５がさらに速い速度で回転しながらオーバードライブ出力が行われ、第１、第２モータ／ゼネレータＭＧ１、ＭＧ２はトルクを提供する必要がないためエンジンＥＮＧの動力のみで車両が駆動される第２エンジンモードが成立する。
【０１２６】
本発明の第１実施形態によれば、２つの遊星ギヤセットＰＧ１、ＰＧ２と２つのトランスファギヤＴＦ１、ＴＦ２、３つの摩擦要素ＣＬ１、ＣＬ２、ＢＫ、および２つのモータ／ゼネレータＭＧ１、ＭＧ２の組み合わせで２つのＥＶモードと、２つのハイブリッド入力分岐モードと、１つのハイブリッド複合分岐モード、２つのエンジンモードを実現することができる。
【０１２７】
また、遊星ギヤセット以外に外接ギヤである２つのトランスファギヤを適用することによって、自由なギヤ歯数の変更で車両別最適のギヤ比が設定でき、要求性能条件に合うようにギヤ歯数の変更が可能で発進性能を向上させることができる。
【０１２８】
そしてＷＯＴ（Ｗｉｄｅ  Ｏｐｅｎ  Ｔｈｒｏｔｔｌｅ）発進時、十分な動力性能を提供してエンジンモードへの変換を抑制し、ハイブリッド入力分岐モードと複合分岐モードの変換時にエンジンの最大動力を使用することができる。
【０１２９】
また、エンジン動力の分岐時、機械的動力伝達経路の比重を高めて電気負荷を減らしエンジンの最大動力が使用できるようにし、発進時モード変換回数を減らし、モード変換時すべての回転要素の回転数変化を最少化することができる。
【０１３０】
そしてエンジンモードを提供して、高速走行時にモータ／ゼネレータの電気負荷なく走行可能にして燃費を向上させることができる。
【０１３１】
図７は本発明の第２実施形態による動力伝達装置の構成図である。
【０１３２】
図７に示す通り、第１実施形態では第２クラッチＣＬ２を第１回転要素Ｎ１と第２トランスファギヤＴＦ２の間に配置しているが、第２実施形態では前記第２クラッチＣＬ２を第２トランスファギヤＴＦ２と第６回転要素Ｎ６の間に配置している。
【０１３３】
このような第２実施形態の場合、前記第１実施形態と比較して第２クラッチＣＬ２の配置位置のみ異なるだけでその作動が同一であるので、詳細な説明は省略する。
【０１３４】
図８は本発明の第３実施形態による動力伝達装置の構成図である。
【０１３５】
図８に示す通り、第１実施形態では第１クラッチＣＬ１を第４回転要素Ｎ４と第６回転要素Ｎ６の間に配置しているが、第３実施形態では第１クラッチＣＬ１を第４回転要素Ｎ４と第５回転要素Ｎ５の間に配置している。
【０１３６】
このような第３実施形態の場合、前記第１実施形態と比較して第１クラッチＣＬ１の配置位置のみ異なるだけでその作動が同一であるので、詳細な説明は省略する。
【０１３７】
図９は本発明の第４実施形態による動力伝達装置の構成図である。
【０１３８】
図９に示す通り、第１実施形態では第１クラッチＣＬ１を第４回転要素Ｎ４と第６回転要素Ｎ６の間に配置しているが、第４実施形態では第１クラッチＣＬ１を第５回転要素Ｎ５と第６回転要素Ｎ６の間に配置している。
【０１３９】
このような第４実施形態の場合、前記第１実施形態と比較して第１クラッチＣＬ１の配置位置のみ異なるだけでその作動が同一であるので、詳細な説明は省略する。
【０１４０】
図１０は本発明の第５実施形態による動力伝達装置の構成図である。
【０１４１】
図１０に示す通り、第１実施形態では第１遊星ギヤセットＰＧ１をシングルピニオン遊星ギヤセットで構成しているが、第５実施形態では第１遊星ギヤセットＰＧ１をダブルピニオン遊星ギヤセットで構成している。
【０１４２】
これにより、第１回転要素Ｎ１が第１サンギヤＳ１、第２回転要素Ｎ２が第１リングギヤＲ１、第３回転要素Ｎ３が第１遊星キャリアＰＣ１に設定される。
【０１４３】
このような第５実施形態の場合、前記第１実施形態と比較して第２、第３回転要素Ｎ２、Ｎ３を構成する複数の回転要素が変わるだけでその作動が同一であるので、詳細な説明は省略する。
【０１４４】
図１１は本発明の第６実施形態による動力伝達装置の構成図である。
【０１４５】
図１１に示す通り、第１実施形態では第２遊星ギヤセットＰＧ２をシングルピニオン遊星ギヤセットで構成しているが、第６実施形態では第２遊星ギヤセットＰＧ２をダブルピニオン遊星ギヤセットで構成している。
【０１４６】
これにより、第４回転要素Ｎ４が第２サンギヤＳ２、第５回転要素Ｎ５が第２リングギヤＲ２、第６回転要素Ｎ６が第２遊星キャリアＰＣ２に設定される。
【０１４７】
このような第６実施形態の場合、前記第１実施形態と比較して第５、第６回転要素Ｎ５、Ｎ６を構成する複数の回転要素が変わるだけでその作動が同一であるので、詳細な説明は省略する。
【０１４８】
以上、本発明の好ましい実施形態を説明したが、本発明は前記実施形態に限定されず、本発明の実施形態から当該発明の属する技術分野における通常の知識を有する者によって容易に変更されて均等であると認められる範囲のすべての変更を含む。
【符号の説明】
【０１４９】
ＢＫ：ブレーキ
ＣＬ１、ＣＬ２：第１、第２クラッチ
ＩＳ：入力軸
ＯＳ：出力軸
ＭＧ１、ＭＧ２：第１、第２モータ／ゼネレータ
ＰＧ１、ＰＧ２：第１、第２遊星ギヤセット
Ｓ１、Ｓ２：第１、第２サンギヤ
ＰＣ１、ＰＣ２：第１、第２遊星キャリア
Ｒ１、Ｒ２：第１、第２リングギヤ
【図１】
2014104969.tif 000003
【図２】
2014104969.tif 000004
【図３Ａ】
2014104969.tif 000005
【図３Ｂ】
2014104969.tif 000006
【図４Ａ】
2014104969.tif 000007
【図４Ｂ】
2014104969.tif 000008
【図５】
2014104969.tif 000009
【図６Ａ】
2014104969.tif 000010
【図６Ｂ】
2014104969.tif 000011
【図７】
2014104969.tif 000012
【図８】
2014104969.tif 000013
【図９】
2014104969.tif 000014
【図１０】
2014104969.tif 000015
【図１１】
2014104969.tif 000016